(57)【要約】      （修正有）【課題】複数の出力系統毎に、表示アイテムの表示を最適化することができる内視鏡装置を提供する。【解決手段】内視鏡装置１は、内視鏡画像を取得する撮像装置１１と、内視鏡画像に対して、複数項目からなる付加情報を重畳するＯＳＤ／合成部２７ａ〜ｄと、を有する。さらに、内視鏡装置１は、ＯＳＤ／合成部２７ａ〜ｄから出力される系統を複数有し、付加情報を表示するか否かを系統毎かつ項目毎に設定する表示コントローラ２８を有する。【選択図】図１
2015159893.tif 000002
【特許請求の範囲】
【請求項１】
内視鏡画像を取得する内視鏡画像取得部と、
前記内視鏡画像に対して、複数項目からなる付加情報を重畳する付加情報重畳部と、
を有し、
前記付加情報重畳部から出力される系統を複数有し、
前記付加情報を表示するか否かを前記系統毎かつ前記項目毎に設定する付加情報表示設定部をさらに有することを特徴とする内視鏡装置。
【請求項２】
前記付加情報表示設定部は、前記付加情報を表示するか否かを前記系統毎、前記項目毎、かつ、ユーザ毎に設定することを特徴とする請求項１に記載の内視鏡装置。
【請求項３】
前記内視鏡画像に対して前記付加情報を重畳する位置を、前記項目毎に任意の位置に設定する付加情報重畳位置設定部と、
前記付加情報重畳位置設定部により設定された位置に前記付加情報が付与された前記内視鏡画像を出力する出力部と、をさらに備え、
前記付加情報重畳位置設定部は、前記系統毎に前記付加情報の重畳位置を個別に設定することを特徴とする請求項１または２に記載の内視鏡装置。
【請求項４】
前記付加情報重畳位置設定部により設定された前記項目毎の前記付加情報を重畳する位置を、ユーザ毎に記憶する記憶部を有することを特徴とする請求項１から３のいずれか１つ記載の内視鏡装置。
【請求項５】
内視鏡画像を取得する内視鏡画像取得部と、
前記内視鏡画像に対して、複数項目からなる付加情報を重畳する付加情報重畳部と、
前記内視鏡画像に対して前記付加情報を重畳する位置を、前記項目毎に任意の位置に設定する付加情報重畳位置設定部と、
前記付加情報重畳位置設定部により設定された位置に前記付加情報が付与された前記内視鏡画像を出力する出力部と、
前記付加情報重畳位置設定部により設定された前記項目毎の前記付加情報を重畳する位置を、ユーザ毎に記憶する記憶部と、
を有することを特徴とする内視鏡装置。
【発明の詳細な説明】
【技術分野】
【０００１】
本発明は、内視鏡装置に関し、特に、内視鏡画像に重畳する付加情報を最適化して表示する内視鏡装置に関するものである。
【背景技術】
【０００２】
従来、被検体の内部の被写体を撮像する内視鏡と、内視鏡により撮像された被写体の観察画像を生成するビデオプロセッサと、ビデオプロセッサにより生成された観察画像を表示するモニタとを備えた内視鏡装置が、医療分野及び工業分野等において広く用いられている。
【０００３】
このような内視鏡装置は、ビデオプロセッサにより生成された観察画像に、患者ＩＤや患者名等の文字情報、インデックス表示、アイコン、及び、ＰｉｎＰ（ピクチャインピクチャ）子画面等の表示アイテムを重畳した観察画面を生成し、モニタ上に表示する。
【０００４】
また、例えば特許文献１には、観察画面上に表示する文字情報やＰｉｎＰ子画面の表示のＯＮ／ＯＦＦを切り替えたり、表示位置を変更することができる内視鏡装置が開示されている。
【先行技術文献】
【特許文献】
【０００５】
【特許文献１】特開２００９−２０７５２２号公報
【発明の概要】
【発明が解決しようとする課題】
【０００６】
しかしながら、従来の内視鏡装置は、観察画面上の表示アイテムの表示位置を変え、最適な位置に表示したり、観察画面上の表示アイテムの表示のＯＮ／ＯＦＦを切り替えて表示することができるが、複数の出力系統毎に、個別に設定することができなかった。
【０００７】
そこで、本発明は、複数の出力系統毎に、表示アイテムの表示を最適化することができる内視鏡装置を提供することを目的とする。
【課題を解決するための手段】
【０００８】
本発明の一態様の内視鏡装置は、内視鏡画像を取得する内視鏡画像取得部と、前記内視鏡画像に対して、複数項目からなる付加情報を重畳する付加情報重畳部と、を有し、前記付加情報重畳部から出力される系統を複数有し、前記付加情報を表示するか否かを前記系統毎かつ前記項目毎に設定する付加情報表示設定部をさらに有する。
【０００９】
また、本発明の他の態様の内視鏡装置は、内視鏡画像を取得する内視鏡画像取得部と、前記内視鏡画像に対して、複数項目からなる付加情報を重畳する付加情報重畳部と、前記内視鏡画像に対して前記付加情報を重畳する位置を、前記項目毎に任意の位置に設定する付加情報重畳位置設定部と、前記付加情報重畳位置設定部により設定された位置に前記付加情報が付与された前記内視鏡画像を出力する出力部と、前記付加情報重畳位置設定部により設定された前記項目毎の前記付加情報を重畳する位置を、ユーザ毎に記憶する記憶部と、を有する。
【発明の効果】
【００１０】
本発明の内視鏡装置によれば、複数の出力系統毎に、表示アイテムの表示を最適化することができる。
【図面の簡単な説明】
【００１１】
【図１】第１の実施形態に係る内視鏡装置の構成を示す図である。
【図２】内視鏡観察画面の一例について説明するための図である。鵜３
【図３】設定記憶部２９に記憶されている設定情報の一例を説明するための図である。
【図４】設定記憶部２９に記憶されている設定情報の他の例を説明するための図である。
【図５】出力系統毎に内視鏡装置１により生成される内視鏡観察画面の例を説明するための図である。
【図６】出力系統毎に内視鏡装置１により生成される内視鏡観察画面の例を説明するための図である。
【図７】ユーザ毎に内視鏡装置１により生成される内視鏡観察画面の例を説明するための図である。
【図８】第２の実施形態の内視鏡観察画面の例を説明するための図である。
【図９】メッセージ一覧画面の例を説明するための図である。
【図１０】複数のエラーが同時あるいは連続して発生した際のエラーメッセージ５５の画面の例を説明するための図である。
【図１１】エラー履歴画面の例を説明するための図である。
【図１２】表示選択画面の例を説明するための図である。
【図１３】検査オーダー一覧画面の例を説明するための図である。
【図１４】検査オーダーが選択された場合の検査オーダー一覧画面の例を説明するための図である。
【図１５】検査オーダーを用いた検査の流れの例を示すフローチャートである。
【発明を実施するための形態】
【００１２】
以下、図面を参照して本発明の実施形態を説明する。
【００１３】
（第１の実施形態）
まず、図１を用いて第１の実施形態の内視鏡装置の構成について説明する。図１は、第１の実施形態に係る内視鏡装置の構成を示す図である。
【００１４】
図１に示すように、内視鏡装置１は、体腔内に挿入し患部を観察あるいは処置する内視鏡２と、内視鏡２に照明光を供給するとともに、内視鏡２により撮像された映像信号に所定の信号処理を施すビデオプロセッサ３とを有して構成されている。ビデオプロセッサ３には、信号処理が施された映像を表示するモニタ４と、上記映像を記録する動画記録装置５と、上記ビデオプロセッサ３で生成した映像を撮影しプリントするプリンタ６と、操作指示や文字情報等の入力を行うためのキーボード７とが接続される。また、ビデオプロセッサ３は、サーバ８と通信を行い、ビデオプロセッサ３で生成した画像をサーバ８に送信したり、サーバ８に記録されている検査オーダー等の情報を受信することができる。
【００１５】
内視鏡２は、患者の体腔内に挿入する挿入部先端に設けられた例えばＣＣＤ等の内視鏡画像取得部としての撮像装置１１と、挿入部先端へ照明光を導くライトガイド１２と、内視鏡２の操作を行う操作部に設けられた操作スイッチ１３と、ビデオプロセッサ３と接続するためのコネクタ部１４に設けられた電気コネクタ１４ａとを有している。
【００１６】
ビデオプロセッサ３は、照明光を生成する例えばランプ等の光源２１と、光源２１からの照明光をライトガイド１２の入射端面に集光させる集光レンズ２２とを有する。また、ビデオプロセッサ３は、内視鏡の電気コネクタ１４ａと接続されるコネクタ２３と、コネクタ２３を介して内視鏡２の撮像装置１１の駆動及び制御を行う例えばＣＰＵ等の制御部２４と、コネクタ２３を介した撮像装置１１からの撮像信号に対して信号処理を施し、映像信号を生成する映像処理回路２５と、生成された映像信号に対して、例えば、ホワイトバランス処理等の補正処理を行う映像補正回路２６とを有する。
【００１７】
また、ビデオプロセッサ３は、ＯＳＤ／合成部２７ａ〜２７ｄと、表示コントローラ２８と、設定記憶部２９と、映像出力コネクタ３０ａ〜３０ｃと、画像データ生成部３１と、通信コネクタ３２と、操作パネル３３と、エラー履歴記憶部３４とを有している。
【００１８】
ＯＳＤ／合成部２７ａ〜２７ｄには、映像補正回路２６により補正処理された映像信号が入力される。付加情報重畳部及び出力部を構成するＯＳＤ／合成部２７ａ〜２７ｄは、表示コントローラ２８の制御に基づいて、入力された映像信号（内視鏡画像）に複数項目からなる付加情報を重畳した内視鏡観察画面を生成して出力する。
【００１９】
ＯＳＤ／合成部２７ａから出力された内視鏡観察画面は、映像出力コネクタ３０ａに接続されたモニタ４へ出力され、表示される。また、ＯＳＤ／合成部２７ｂから出力された内視鏡観察画面は、映像出力コネクタ３０ｂに接続された動画記録装置５へ出力され、動画として記録される。また、ＯＳＤ／合成部２７ｃから出力された内視鏡観察画面は、映像出力コネクタ３０ｃに接続されたプリンタ６へ出力され、プリントされる。また、ＯＳＤ／合成部２７ｄから出力された内視鏡観察画面は、画像データ生成部３１を介して、通信コネクタ３２に接続されたサーバ８へ出力され、記録される。
【００２０】
ここで、ＯＳＤ／合成部２７ａ〜２７ｄにより内視鏡観察画面の一例について説明する。図２は、内視鏡観察画面の一例について説明するための図である。
【００２１】
図２に示すように、内視鏡観察画面４０には、中央から右側にかけて、映像補正回路２６から入力された映像信号に対応した内視鏡画像４１が配置されている。また、内視鏡画像４１に重畳表示される複数項目なる付加情報（表示アイテム）は、患者ＩＤ４２と、患者名４３と、性別４４と、生年月日４５と、時計４６と、ストップウォッチ４７と、撮影枚数（プリンタ）４８と、撮影枚数（サーバ）４９と、強調レベル（構造、輪郭）５０と、カラーモード５１と、拡大倍率５２と、コメント５３と、アイコン５４と、エラーメッセージ５５とである。
【００２２】
内視鏡観察画面４０には、内視鏡画像４１が配置されていない左側の領域に、上から順に患者ＩＤ４２と、患者名４３と、性別４４と、生年月日４５と、時計４６と、ストップウォッチ４７と、撮影枚数（プリンタ）４８と、撮影枚数（サーバ）４９と、強調レベル（構造、輪郭）５０と、カラーモード５１と、コメント５３と、エラーメッセージ５５とが重畳表示される。なお、強調レベル５０とカラーモード５１とは、左右に隣接して配置されている。さらに、内視鏡観察画面４０には、内視鏡画像４１が表示されていない右下の領域に、上から順に拡大倍率５２と、アイコン５４とが重畳表示される。
【００２３】
本実施形態では、付加情報表示設定部を構成する表示コントローラ２８がＯＳＤ／合成部２７ａ〜２７ｄを制御して、付加情報を表示するか否かを系統毎かつ項目毎に設定する。系統毎かつ項目毎に設定するための設定情報は、設定記憶部２９に記憶されている。
【００２４】
ここで、設定記憶部２９に記憶されている設定情報について説明する。図３は、設定記憶部２９に記憶されている設定情報の一例を説明するための図である。
【００２５】
図３に示す設定情報３５において、「○」は表示する項目であり、「−」は表示しない項目である。図３に示すように、モニタ４に内視鏡観察画面４０を出力する場合、付加情報の全ての項目を表示するように設定されている。また、動画記録装置５に内視鏡観察画面４０を出力する場合、付加情報の項目のうち、患者ＩＤ４２、患者名４３、性別４４、生年月日４５、時計４６、ストップウォッチ４７、強調レベル（構造、輪郭）５０、カラーモード５１、拡大倍率５２、及び、コメント５３を表示し、撮影枚数（プリンタ）４８、撮影枚数（サーバ）４９、アイコン５４、及び、エラーメッセージ５５を表示しないように設定されている。
【００２６】
同様に、プリンタ６に内視鏡観察画面４０を出力する場合、患者ＩＤ４２、患者名４３、時計４６、及び、撮影枚数（プリンタ）４８を表示し、他の項目を表示しないように設定されている。また、サーバ８に内視鏡観察画面４０を出力する場合、ストップウォッチ４７、撮影枚数（プリンタ）４８、アイコン５４、及び、エラーメッセージ５５を非表示とし、他の項目を表示するように設定されている。
【００２７】
表示コントローラ２８は、設定記憶部２９に記憶されている図３の設定情報３５に基づきＯＳＤ／合成部２７ａ〜２７ｄを制御し、付加情報の表示／非表示を系統毎かつ項目毎に設定する。
【００２８】
例えば、プリンタ６に内視鏡観察画面４０を出力する場合、ＯＳＤ／合成部２７ｃは、表示コントローラ２８に制御に基づき、内視鏡画像４１に患者ＩＤ４２、患者名４３、時計４６、及び、撮影枚数（プリンタ）４８のみを重畳した内視鏡観察画面４０を生成し、映像出力コネクタ３０ｃを介してプリンタ６に出力する。
【００２９】
また、本実施形態では、表示コントローラ２８がＯＳＤ／合成部２７ａ〜２７ｄを制御して、付加情報を表示するか否かを系統毎、項目毎、かつ、ユーザ毎に設定する。系統毎項目毎、かつ、ユーザ毎に設定するための設定情報は、設定記憶部２９に記憶されている。
【００３０】
図４は、設定記憶部２９に記憶されている設定情報の他の例を説明するための図である。
【００３１】
図４の設定情報３６に示すように、例えば医師Ａのユーザでは、モニタ４に内視鏡観察画面４０を出力する場合、付加情報の全ての項目を表示するように設定されている。これに対し、例えば医師Ｂのユーザでは、モニタ４に内視鏡観察画面４０を出力する場合、付加情報の項目のうち、患者ＩＤ４２、患者名４３、性別４４、撮影枚数（プリンタ）４８、撮影枚数（サーバ）４９、拡大倍率５２、アイコン５４、及び、エラーメッセージ５５を表示し、生年月日４５、時計４６、ストップウォッチ４７、強調レベル（構造、輪郭）５０、カラーモード５１、及び、コメント５３を表示しないように設定されている。他の系統（動画記録装置５、プリンタ６、サーバ８）についても、ユーザ毎に表示／非表示の項目が設定されている。
【００３２】
ユーザがキーボード７または操作パネル３３を操作し、ユーザ情報を入力すると、ユーザ情報が制御部２４を介して表示コントローラ２８に入力される。表示コントローラ２８は、入力されたユーザ情報に応じて図４の設定情報３６を参照し、ＯＳＤ／合成部２７ａ〜２７ｄを制御し、付加情報の表示／非表示を系統毎、項目毎、かつ、ユーザ毎に設定する。
【００３３】
なお、図３及び図４の設定情報３５及び３６は、ユーザがキーボード７または操作パネル３３を用いて、適宜、設定変更を行うことができる。
【００３４】
また、付加情報重畳位置設定部としての表示コントローラ２８は、内視鏡画像４１に付加情報を重畳する位置を、項目毎に任意の位置に設定することができる。さらに、表示コントローラ２８は、内視鏡画像４１に付加情報を重畳する位置を、系統毎かつ項目毎に任意の位置に設定することができる。また、表示コントローラ２８は、内視鏡画像４１に付加情報を重畳する位置を、系統毎、項目毎、かつ、ユーザ毎に任意の位置に設定することができる。
【００３５】
付加情報を重畳する位置を設定するための位置情報は、設定記憶部２９に記憶される。この位置情報は、例えば、ユーザがキーボード７または操作パネル３３を用いて、系統毎かつ項目毎（または、系統毎、項目毎、かつ、ユーザ毎）に重畳する位置を変更し、設定記憶部２９に記憶する。
【００３６】
なお、表示コントローラ２８は、付加情報だけでなく、内視鏡画像４１を配置する位置も任意の位置に設定することができる。この内視鏡画像４１の位置情報も設定記憶部２９に記憶される。
【００３７】
操作パネル３３及びキーボード７は、各種操作指示や文字情報の入力等を行うための入力装置である。各種操作指示は、制御部２４に入力され、制御部２４が各種操作指示に応じた制御を行う。また、エラー履歴記憶部３４は、エラー発生時に表示されたエラーメッセージの履歴を保存するためのメモリである。
【００３８】
次に、このように構成された内視鏡装置１により生成される内視鏡観察画面について説明する。
【００３９】
図５及び図６は、出力系統毎に内視鏡装置１により生成される内視鏡観察画面の例を説明するための図である。
【００４０】
図５（ａ）は、モニタ４に出力される内視鏡観察画面の一例である。表示コントローラ２８は、内視鏡観察画面をモニタ４に出力する場合、設定記憶部２９に記憶されている設定情報３５に基づき、付加情報の全ての項目を内視鏡画像４１に重畳するように、ＯＳＤ／合成部２７ａを制御する。また、表示コントローラ２８は、設定記憶部２９に記憶されている位置情報に基づき、付加情報を任意の位置に設定するように、ＯＳＤ／合成部２７ａを制御する。
【００４１】
ＯＳＤ／合成部２７ａは、表示コントローラ２８の制御に基づき、付加情報を全て重畳した内視鏡観察画面４０ａを生成する。また、ＯＳＤ／合成部２７ａは、表示コントローラ２８の制御に基づき、付加情報を重畳する位置を設定する。
【００４２】
例えば、図５（ａ）に示す内視鏡観察画面４０ａは、時計４６、ストップウォッチ４７、撮影枚数（プリンタ）４８、撮影枚数（サーバ）４９、強調レベル（構造、輪郭）５０、カラーモード５１、及び、コメント５３の重畳する位置が図２に示す位置より上側に設定されている。このように生成された内視鏡観察画面４０ａは、映像出力コネクタ３０ａを介してモニタ４に出力され、モニタ４に表示される。
【００４３】
図５（ｂ）は、動画記録装置５に出力される内視鏡観察画面の一例である。表示コントローラ２８は、内視鏡観察画面を動画記録装置５に出力する場合、設定記憶部２９に記憶されている設定情報３５に基づき、付加情報の項目のうち、患者ＩＤ４２、患者名４３、性別４４、生年月日４５、時計４６、ストップウォッチ４７、強調レベル（構造、輪郭）５０、カラーモード５１、拡大倍率５２及びコメント５３を内視鏡画像４１に重畳するように、ＯＳＤ／合成部２７ｂを制御する。また、表示コントローラ２８は、設定記憶部２９に記憶されている位置情報に基づき、これらの付加情報を任意の位置に設定するように、ＯＳＤ／合成部２７ｂを制御する。
【００４４】
ＯＳＤ／合成部２７ｂは、表示コントローラ２８の制御に基づき、患者ＩＤ４２、患者名４３、性別４４、生年月日４５、時計４６、ストップウォッチ４７、強調レベル（構造、輪郭）５０、カラーモード５１、拡大倍率５２及びコメント５３を重畳した内視鏡観察画面４０ｂを生成する。また、ＯＳＤ／合成部２７ｂは、表示コントローラ２８の制御に基づき、これらの付加情報を重畳する位置を設定する。
【００４５】
例えば、図５（ｂ）に示す内視鏡観察画面４０ｂは、拡大倍率５２を重畳する位置が強調レベル（構造、輪郭）５０の下側に設定されており、かつ、コメント５３を重畳する位置が内視鏡観察画面４０ｂの左下に設定されている。このように生成された内視鏡観察画面４０ｂは、映像出力コネクタ３０ｂを介して動画記録装置５に出力され、動画記録装置５に動画として記録される。
【００４６】
図６（ａ）は、プリンタ６に出力される内視鏡観察画面の一例である。表示コントローラ２８は、内視鏡観察画面をプリンタ６に出力する場合、設定記憶部２９に記憶されている設定情報３５に基づき、付加情報の項目のうち、患者ＩＤ４２、患者名４３、時計４６、及び、撮影枚数（プリンタ）４８を内視鏡画像４１に重畳するように、ＯＳＤ／合成部２７ｃを制御する。また、表示コントローラ２８は、設定記憶部２９に記憶されている位置情報に基づき、これらの付加情報を任意の位置に設定するように、ＯＳＤ／合成部２７ｃを制御する。
【００４７】
ＯＳＤ／合成部２７ｃは、表示コントローラ２８の制御に基づき、患者ＩＤ４２、患者名４３、時計４６、及び、撮影枚数（プリンタ）４８を重畳した内視鏡観察画面４０ｃを生成する。また、ＯＳＤ／合成部２７ｃは、表示コントローラ２８の制御に基づき、これらの付加情報を重畳する位置を設定する。
【００４８】
例えば、図６（ａ）に示す内視鏡観察画面４０ｃは、時計４６、患者ＩＤ４２、及び、患者名４３を重畳する位置が左上に設定され、撮影枚数（プリンタ）４８を重畳する位置が右下に設定されている。このように生成された内視鏡観察画面４０ｃは、映像出力コネクタ３０ｃを介してプリンタ６に出力され、プリントされる。
【００４９】
図６（ｂ）は、サーバ８に出力される内視鏡観察画面の一例である。表示コントローラ２８は、内視鏡観察画面をサーバ８に出力する場合、設定記憶部２９に記憶されている設定情報３５に基づき、付加情報の項目のうち、患者ＩＤ４２、患者名４３、性別４４、生年月日４５、時計４６、撮影枚数（サーバ）４９、強調レベル（構造、輪郭）５０、カラーモード５１、拡大倍率５２及びコメント５３を内視鏡画像４１に重畳するように、ＯＳＤ／合成部２７ｄを制御する。また、表示コントローラ２８は、設定記憶部２９に記憶されている位置情報に基づき、これらの付加情報を任意の位置に設定するように、ＯＳＤ／合成部２７ｄを制御する。
【００５０】
ＯＳＤ／合成部２７ｄは、表示コントローラ２８の制御に基づき、患者ＩＤ４２、患者名４３、性別４４、生年月日４５、時計４６、撮影枚数（サーバ）４９、強調レベル（構造、輪郭）５０、カラーモード５１、拡大倍率５２及びコメント５３を重畳した内視鏡観察画面４０ｄを生成する。また、ＯＳＤ／合成部２７ｄは、表示コントローラ２８の制御に基づき、これらの付加情報を重畳する位置を設定する。
【００５１】
例えば、図６（ｂ）に示す内視鏡観察画面４０ｄは、撮影枚数（サーバ）４９、患者ＩＤ４２、患者名４３、性別４４及び生年月日４５を重畳する位置が左上に設定され、時計４６及びコメント５３を重畳する位置が左下に設定され、強調レベル（構造、輪郭）５０、カラーモード５１及び拡大倍率５２を重畳する位置が右下に設定されている。このように生成された内視鏡観察画面４０ｄは、画像データ生成部３１及び通信コネクタ３２を介してサーバ８に送信され、記録される。
【００５２】
図７は、ユーザ毎に内視鏡装置１により生成される内視鏡観察画面の例を説明するための図である。図７（ａ）は、医師Ａの内視鏡観察画面の一例であり、図７（ｂ）は、医師Ｂの内視鏡観察画面の一例である。
【００５３】
図７（ａ）に示す医師Ａの内視鏡観察画面４０ｅは、付加情報を重畳する位置が図５（ａ）の内視鏡観察画面４０ａと同じ位置になっている。
【００５４】
一方、図７（ｂ）に示す医師Ｂの内視鏡観察画面４０ｆは、内視鏡画像４１が図７（ａ）より中央側に配置されている。内視鏡観察画面４０ｆの左側に、時計４６、患者ＩＤ４２、患者名４３、性別４４、生年月日４５、強調レベル（構造、輪郭）５０、カラーモード５１、拡大倍率５２、コメント５３、エラーメッセージ５５が配置されている。さらに、内視鏡観察画面４０ｆの右上にストップウォッチ４７が配置され、内視鏡観察画面４０ｆの右下に撮影枚数（プリンタ）４８、撮影枚数（サーバ）４９及びアイコン５４が配置されている。
【００５５】
例えば、内視鏡観察画面４０ｆのように、内視鏡画像４１が図７（ａ）より中央側に配置された場合、時計４６が内視鏡画像４１上に重畳されることがあるため、時計４６が内視鏡観察画面４０ｆの左上に配置されるようになっている。また、ユーザ毎に付加情報の表示／非表示が設定されている場合、表示コントローラ２８は、図４の設定情報３６を参照し、付加情報の項目毎に表示／非表示を設定する。
【００５６】
以上のように、本実施形態の内視鏡装置１は、表示コントローラ２８と、４つのＯＳＤ／合成部２７ａ〜２７ｄとを設け、付加情報を表示するか否かを出力系統毎かつ付加情報の項目毎に設定するようにした。この結果、出力先（モニタ４、動画記録装置５、プリンタ６またはサーバ８）に応じて、表示する付加情報（表示アイテム）の項目を設定することができる。
【００５７】
よって、本実施形態の内視鏡装置によれば、複数の出力系統毎に、表示アイテムの表示を最適化することができる。
【００５８】
（第２の実施形態）
次に、第２の実施形態について説明する。
【００５９】
従来、モニタ等の出力表示画面を観察しながら、キーボード等の入力装置を使用して、文字に入力を行う電子機器では、文字入力モード（例えば、ローマ字入力、カナ入力、Caps Lock等）は、アイコン等を用いて出力表示画面上に常に表示していた。しかし、この電子機器が医療用画像を診断する内視鏡装置の場合、内視鏡観察画面上に文字入力モード等のアイコンが常に表示されていると、観察の妨げになる場合がある。そこで、本実施形態では、キーボード等の入力装置を使用してモニタ上で文字入力を行う際に、観察の妨げにならずに、操作者に文字入力モードを認識させることができる内視鏡装置について説明する。
【００６０】
図８は、第２の実施形態の内視鏡観察画面の例を説明するための図である。ユーザがキーボード７または操作パネル３３を用いて、モニタ４上で文字を入力する状態に設定すると、設定信号が制御部２４を介して表示コントローラ２８に入力される。表示コントローラ２８は、この設定信号に入力されると、内視鏡画像４１にアイコン５４を重畳するように、ＯＳＤ／合成部２７ａを制御する。
【００６１】
ＯＳＤ／合成部２７ａは、表示コントローラ２８の制御に基づき、図８に示すように、文字入力を行う場所にカーソル６０を表示するとともに、内視鏡画像４１に文字入力モードを示すアイコン５４を重畳した内視鏡観察画面４０ｇを生成する。
【００６２】
一方、ユーザがキーボード７または操作パネル３３を用いて、モニタ４上で文字を入力する状態を解除すると、解除信号が制御部２４を介して表示コントローラ２８に入力される。表示コントローラ２８は、この解除信号が入力されると、内視鏡画像４１にアイコン５４を重畳しないように、ＯＳＤ／合成部２７ａを制御する。
【００６３】
ＯＳＤ／合成部２７ａは、表示コントローラ２８の制御に基づき、図８に示すように、カーソル６０を非表示にするとともに、内視鏡画像４１にアイコン５４を重畳しない内視鏡観察画面４０ｈを生成する。
【００６４】
以上のように、本実施形態の内視鏡装置１は、文字を入力する状態か否かに応じて、アイコン５４を重畳するか否かを切り替えるため、キーボード７等の入力装置を使用してモニタ４上で文字入力を行う際に、観察の妨げにならずに、操作者に文字入力モードを認識させることができる。
【００６５】
（第３の実施形態）
次に、第３の実施形態について説明する。
【００６６】
ビデオプロセッサは、設定変更時やエラー発生時等、多くのタイミングで内視鏡観察画面上にメッセージを表示している。このようなメッセージは、例えば、エラーメッセージ５５に表示される。しかしながら、内視鏡観察画面上に表示するメッセージ領域は少ないため、複数のメッセージが同時に表示された場合、あるいは、連続で表示された場合、上書きでメッセージが更新されるため、上書きされた過去のメッセージを確認することが難しかった。そこで、本実施形態では、過去に表示されたメッセージの履歴及び内容を確認することができる内視鏡装置について説明する。
【００６７】
設定変更やエラーが発生すると、そのメッセージがエラーメッセージ５５に表示される。エラーメッセージ５５にメッセージが表示されると、制御部２４は、そのメッセージ情報（例えば、表示時間、カテゴリ、表示内容）をエラー履歴記憶部３４に記憶する。
【００６８】
ユーザは、エラーメッセージ５５に表示された過去のメッセージの履歴を見たい場合、キーボード７または操作パネル３３を操作し、メッセージ履歴の表示を指示すると、その指示信号が制御部２４に入力される。制御部２４は、その指示信号が入力されると、エラー履歴記憶部３４に記憶されたメッセージ情報を読み出し、表示コントローラ２８に出力する。そして、表示コントローラ２８は、制御部２４からメッセージ情報が入力されると、メッセージの履歴、表示内容を確認することができるメッセージ一覧画面を生成する。
【００６９】
図９は、メッセージ一覧画面の例を説明するための図である。
【００７０】
図９に示すように、メッセージ一覧画面６１は、メッセージが表示された表示時間、メッセージのカテゴリ、及び、エラーメッセージ５５に表示された表示内容のメッセージ情報を有し、例えば、メッセージ情報が例えば過去に表示された順に一覧で表示される。
【００７１】
メッセージ履歴の表示を指示する指示信号が表示コントローラ２８に入力されると、ＯＳＤ／合成部２７ａは、表示コントローラ２８の制御に基づき、図９に示すメッセージ一覧画面６１を生成し、内視鏡観察画面４０の所定に位置に重畳する。そして、メッセージ一覧画面６１が所定の位置に重畳された内視鏡観察画面４０は、映像出力コネクタ３０ａを介してモニタ４に表示される。
【００７２】
以上のように、本実施形態の内視鏡装置１は、メッセージ履歴の表示を指示する指示信号が入力された場合、内視鏡観察画面４０にメッセージ一覧画面６１を重畳してモニタ４に表示するため、ユーザは過去に表示されたメッセージの履歴及び内容を確認することができる。
【００７３】
（変形例）
次に、第３の実施形態の変形例について説明する。
【００７４】
従来、内視鏡観察画面上に重畳されるエラーメッセージ５５の領域が小さいため、例えば１つのエラー内容しか表示できなかった。このような場合に、複数のエラーが同時あるいは連続して発生した場合、複数のエラーの内、優先度が高いエラーのエラー内容のみをエラーメッセージ５５に表示していた。
【００７５】
本変形例では、複数のエラーが同時あるいは連続して発生した場合、表示コントローラ２８が複数のエラーについての情報を並列に表示するようにＯＳＤ／合成部２７ａを制御し、エラーメッセージ５５を生成する。
【００７６】
図１０は、複数のエラーが同時あるいは連続して発生した際のエラーメッセージ５５の画面の例を説明するための図である。
【００７７】
図１０（ａ）に示すように、複数のエラーが同時あるいは連続して発生した場合、同時あるいは連続して発生した複数のエラーのエラーコードを並列に表示する。図１０（ａ）の例は、３つのエラーが同時あるいは連続して発生した場合を示しており、エラーコードとして、Ａ００１、Ａ０２１、及び、Ｂ００４の３つのエラーコードが表示されている。なお、エラー内容は、３つのエラーの内、優先度が最も高いエラーのエラー内容を表示している。
【００７８】
なお、図１０（ａ）では、１つのエラー内容のみを表示しているが、表示コントローラ２８の制御により、複数のエラー内容を表示するようにしてもよい。図１０（ｂ）は、２つのエラー内容を表示するエラーメッセージ５５の画面の例である。図１０（ｂ）のエラーメッセージ５５では、２つのエラーが同時あるいは連続して発生した場合、その２つのエラー内容を表示する。
【００７９】
一方、３つ以上のエラーが同時あるいは連続して発生した場合、エラーメッセージ５５の画面の中央の下側に、エラー履歴画面を表示するためのエラー履歴画面ボタン６２を表示する。ユーザがキーボード７または操作パネル３３を操作して、エラー履歴画面ボタン６２を押下すると、表示コントローラ２８の制御により、同時あるいは連続して発生した３つ以上のエラー内容を確認するためのエラー履歴画面が内視鏡観察画面４０に重畳される。
【００８０】
図１１は、エラー履歴画面の例を説明するための図である。図１１に示すエラー履歴画面６３は、４つのエラーが同時あるいは連続して発生した場合に内視鏡観察画面４０に重畳される画面であり、４つのエラーの発生した日時、エラーコード及びエラー内容が表示されている。また、エラー履歴画面６３の中央の下側には、送信ボタン６４が設けられている。この送信ボタン６４は、エラー履歴画面６３に表示されているエラーコード及びエラー内容をコールセンターに送信するためのボタンである。
【００８１】
送信ボタン６４が押下されると、エラーコード及びエラー内容が通信コネクタ３２を介して図示しないコールセンターに送信され、コールセンターからエラーに対する対応指示が通信コネクタ３２を介して制御部２４に送信される。このエラーに対する対応指示は、表示コントローラ２８に出力され、表示コントローラ２８の制御により、モニタ４に表示される。
【００８２】
従来、ユーザは、エラーが発生した場合、エラーを解消するために、エラーメッセージ５５に表示されているエラーコード及びエラー内容をコールセンターに伝え、エラーの問い合わせを行っている。この問い合わせは、例えば、メールや電話等で行われており、手間がかかっていた。
【００８３】
これに対し、ユーザがエラーの問い合わせを行う場合、キーボード７または操作パネル３３を操作して送信ボタン６４を押下することで、エラー履歴画面６３に表示されているエラーコード及びエラー内容がコールセンターに送信されるため、問い合わせの手間を省くことができる。
【００８４】
以上のように、変形例の内視鏡装置１は、複数のエラーが同時あるいは連続して発生した場合に全てのエラー内容を内視鏡観察画面４０に表示することができるため、ユーザは、複数のエラーが同時に発生した場合に、全てのエラー内容を確認することができる。
【００８５】
（第４の実施形態）
次に、第４の実施形態について説明する。
【００８６】
従来、設定変更時やエラー発生時等にメッセージが表示されるが、リスクマネジメント上、表示しなくても影響がないメッセージも存在する。そこで、本実施形態では、設定変更時やエラー発生時に報知されるメッセージの表示／非表示を選択することができる内視鏡装置について説明する。
【００８７】
ユーザがキーボード７または操作パネル３３を操作して、メッセージの表示／非表示を選択する指示を行うと、その指示信号が制御部２４を介して表示コントローラ２８に入力される。表示コントローラ２８は、その指示信号が入力されると、メッセージの表示／非表示を選択するための表示選択画面を生成するように、ＯＳＤ／合成部２７ａを制御する。ＯＳＤ／合成部２７ａは、表示コントローラ２８の制御に基づき、メッセージの表示／非表示を選択するための表示選択画面を生成する。
【００８８】
図１２は、表示選択画面の例を説明するための図である。
【００８９】
図１２に示すように、表示選択画面６５には、メッセージの表示／非表示を選択するためのチェックボックス６６ａ〜６６ｅが設けられており、これらのチェックボックス６６ａ〜６６ｅに隣接してメッセージの内容が表示されている。ユーザはチェックボックス６６ａ〜６６ｅをチェックすることにより、メッセージの表示／非表示を選択する。図１２の例では、○○機器未接続、及び、△△機器未接続のメッセージが表示となり、□□機器未接続、××モードＡ切替完了、及び、××モードＢ切替完了のメッセージが非表示となっている。
【００９０】
例えば、動画記録装置５の電源がＯＦＦの状態で、動画を記録しようとすると、動画記録装置５が未接続であるというエラーメッセージが報知される。しかしながら、このようなエラーメッセージは、リスクマネジメント上、表示しなくても影響がないエラーメッセージであり、ユーザは、表示選択画面６５を用いて、このようなエラーメッセージの表示をＯＦＦにすることができる。
【００９１】
以上のように、本実施形態の内視鏡装置１は、表示選択画面６５を用いて、設定変更時やエラー発生時に報知されるメッセージの表示／非表示を選択することができる。
【００９２】
（第５の実施形態）
次に、第５の実施形態について説明する。
【００９３】
従来のビデオプロセッサは、入力された患者ＩＤ情報を基に、サーバに登録された該当患者ＩＤに対する検査オーダーを検索することができ、検索された検査オーダー情報を用いて内視鏡観察画面上への患者情報の表示、該当検査オーダーへの検査画像の紐付け記録を行っていた。
【００９４】
ここで、検査中のスコープ交換等の際に、誤って検査終了操作をしてしまった場合、検査を再開するために患者ＩＤ情報を再入力すると、先の検査オーダーは終了扱いとなっているため、新規の検査オーダーとして検査画像が記録されることになる。しかしながら、同じ患者に対して同日に複数の検査オーダーが登録されていた場合には、患者ＩＤ情報の再入力に伴う検索で残った未実施の検査オーダーが検索されてしまい、検査画像が別の検査オーダーに紐付いて記録されてしまうという問題がった。そこで、本実施形態では、検査画像を間違った検査オーダーに紐付けずに記録することを防ぐことができる内視鏡装置について説明する。
【００９５】
図１のサーバ８は、検査オーダー管理部８ｂ及び検査画像管理部８ｃを備えている。検査オーダー管理部８ｂには、患者ＩＤ毎に検査オーダーが管理されている。ユーザは、キーボード７あるいは操作パネル３３を用いて患者ＩＤを入力すると、サーバ８の検査オーダー管理部８ｂから該当する患者ＩＤの検査オーダー一覧を読み出すことができる。この検査オーダー一覧は、通信コネクタ８ａ、通信コネクタ３２及び制御部２４を介して表示コントローラ２８に入力される。
【００９６】
図１３は、検査オーダー一覧画面の例を説明するための図である。
【００９７】
表示コントローラ２８は、図１３（ａ）に示すように、登録済みの検査オーダー７１ａに、架空の検査オーダー７２ａを加えた検査オーダー一覧画面７０ａを生成する。この架空の検査オーダー７２ａは、検査画像を登録済みの検査オーダー７１に紐付けずに記録するためものであり、画像のみ検査するための検査オーダーである。
【００９８】
また、図１３（ｂ）の検査オーダー一覧画面７０ｂは、２つの登録済みの検査オーダー７１ａ及び７１ｂが存在する場合を示しており、登録済みの検査オーダー７１ｂの下に架空の検査オーダー７２ａが加えられている。
【００９９】
ユーザは、例えば、図１３（ａ）の検査オーダー一覧画面７０ａにおいて、検査オーダーに検査画像を紐付けて記録する場合、登録済みの検査オーダー７１ａを選択し、検査オーダーに検査画像を紐付けずに記録する場合、架空の検査オーダー７２ａを選択する。
【０１００】
図１４は、検査オーダーが選択された場合の検査オーダー一覧画面の例を説明するための図である。
【０１０１】
図１４（ａ）は、図１３（ａ）の登録済みの検査オーダー７１ａが選択された際の検査オーダー一覧画面７０ａであり、種別が検査オーダー７１ａに登録されている「内視鏡検査（上部）その１」となっている確認画面７３ａが表示される。また、この確認画面７３ａでは、患者情報（患者名、性別、生年月日）が表示される。
【０１０２】
一方、図１４（ｂ）は、図１３（ａ）の架空の検査オーダー７２ａが選択された際の検査オーダー一覧画面７０ａであり、種別が検査オーダー７２ａに登録されている「画像のみ検査（オーダーには紐付きません）」となっている確認画面７３ｂが表示される。また、この確認画面７３ｂでは、患者情報が表示されない。
【０１０３】
なお、本実施形態では、登録済みの検査オーダー７１ａに架空の検査オーダー７２ａを加えて表示するか否かを設定できるようにしてもよい。架空の検査オーダー７２ａを加えて表示しない設定の場合、検査オーダー一覧画面７０ａでは、登録済みの検査オーダー７１ａのみが表示され、検査オーダー一覧画面７０ｂでは、登録済みの検査オーダー７１ａ及び７１ｂのみが表示される。
【０１０４】
ここで、検査オーダーを用いた検査の流れについて説明する。図１５は、検査オーダーを用いた検査の流れの例を示すフローチャートである。
【０１０５】
まず、患者ＩＤが入力され（ステップＳ１）、オーダー検索が行われる（ステップＳ２）。患者ＩＤの入力は、例えば、モニタ４上に表示される内視鏡観察画面４０、キーボード７、または、操作パネル３３で行われ、検査オーダー管理部８ｂでオーダー検索が行われる。
【０１０６】
次に、検査オーダーが何件登録されているかが判定される（ステップＳ３）。検査オーダーが１件登録されている場合、図１３（ａ）の検査オーダー一覧画面７０ａが表示される（ステップＳ４）。一方、検査オーダーが複数登録されている場合、図１３（ｂ）の検査オーダー一覧画面７０ｂが表示される（ステップＳ５）。
【０１０７】
次に、どの検査オーダーが選択されたかが判定される（ステップＳ６）。登録済みの検査オーダーが選択された場合、図１４（ａ）の検査オーダー一覧画面７０ａが表示され（ステップＳ７）、画面に患者情報が表示される（ステップＳ８）。最後に、検査画像が検査オーダー（登録済みの検査オーダー）に紐付けて登録され（ステップＳ９）、処理を終了する。
【０１０８】
一方、架空の検査オーダーが選択された場合、図１４（ｂ）の検査オーダー一覧画面７０ａが表示され（ステップＳ１０）、画面に患者情報が表示されない（ステップＳ１１）。最後に、検査画像が画像のみ検査（すなわち、検査画像が検査オーダーに紐付けられない）として登録され（ステップＳ１１）、処理を終了する。なお、図１５の処理で登録された検査画像は、サーバ８に送信され、検査画像管理部８ｃに記録される。
【０１０９】
以上の処理によれば、登録済みの検査オーダー７１ａに検査画像を紐付けずに登録することが可能となり、検査画像を誤った検査オーダーに紐付けて登録（記録）することを防ぐことができる。
【０１１０】
なお、本明細書におけるフローチャート中の各ステップは、その性質に反しない限り、実行順序を変更し、複数同時に実行し、あるいは実行毎に異なった順序で実行してもよい。
【０１１１】
本発明は、上述した実施形態に限定されるものではなく、本発明の要旨を変えない範囲において、種々の変更、改変等が可能である。
【符号の説明】
【０１１２】
１…内視鏡装置、２…内視鏡、３…ビデオプロセッサ、４…モニタ、５…動画記録装置、６…プリンタ、７…キーボード、８…サーバ、１１…撮像装置、１２…ライトガイド、１３…操作スイッチ、１４…コネクタ、１４ａ…電気コネクタ、２１…光源、２２ａ…レンズ、２３…コネクタ、２４…制御部、２５…映像処理回路、２６…映像補正回路、２７ａ〜２７ｄ…ＯＳＤ／合成部、２８…表示コントローラ、２９…設定記憶部、３０ａ〜３０ｃ…映像出力コネクタ、３１…画像データ生成部、３２…通信コネクタ、３３…操作パネル、３４…エラー履歴記憶部。
【図１】
2015159893.tif 000003
【図２】
2015159893.tif 000004
【図３】
2015159893.tif 000005
【図４】
2015159893.tif 000006
【図５】
2015159893.tif 000007
【図６】
2015159893.tif 000008
【図７】
2015159893.tif 000009
【図８】
2015159893.tif 000010
【図９】
2015159893.tif 000011
【図１０】
2015159893.tif 000012
【図１１】
2015159893.tif 000013
【図１２】
2015159893.tif 000014
【図１３】
2015159893.tif 000015
【図１４】
2015159893.tif 000016
【図１５】
2015159893.tif 000017